(57)【要約】【課題】楽に運動することができ、着用感が良好で、体形を補正することも可能な上衣を提供する。【解決手段】袖ぐり１０ｂと襟ぐり１０ａを有し上半身に着用する外衣１２と、外衣１２の内側に取り付けられ袖ぐり１０ｂと襟ぐり１０ａを有する内衣２４を備える。外衣１２の、着用者の肩に位置する外衣肩部２０の内側面には、前身頃１４と後身頃１６側に開口した挿通路２５を形成する肩当て布２６を備える。挿通路２５に、内衣２４の着用者の肩に位置する内衣肩部３６が挿通され、外衣１２に対して移動可能に連結されている。内衣２４の内衣肩部３６には、肩当て布２６に挿通される部分に孔部４０を備えている。孔部４０の中の位置で、外衣１２の外衣肩部２０と肩当て布２６が連結するカン止め２８が形成され、内衣２４はカン止め２８が、孔部４０の中に位置する範囲内に移動が規制されている。【選択図】図１
2019119961.tif 000002
【特許請求の範囲】
【請求項１】
上半身に着用する外衣と、前記外衣の内側に取り付けられる内衣が設けられ、前記外衣の、着用者の肩に位置する外衣肩部の内側面には、前身頃と後身頃側に開口した挿通路を形成する肩当て布が取り付けられ、前記挿通路に、前記内衣の着用者の肩に位置する内衣肩部が挿通され、前記外衣に対して移動可能に連結されていることを特徴とする上衣。
【請求項２】
前記内衣の内衣肩部には、前記肩当て布に挿通される部分に孔部が形成され、前記孔部の内側の位置で、前記外衣の前記外衣肩部と前記肩当て布を連結するカン止めが形成され、前記内衣は前記カン止めが前記孔部中に位置する範囲内に移動が規制されている請求項１記載の上衣。
【請求項３】
前記内衣には、バストを覆う形状に成形されたカップ部が設けられている請求項１又は２記載の上衣。
【請求項４】
前記内衣には、背中に当接し姿勢矯正を行う矯正パーツが設けられている請求項１又は２記載の上衣。
【請求項５】
前記外衣は襟ぐりと袖ぐりを有し、前記肩当て布は一方向に長い帯体であり長手方向の一方の端部は襟ぐりに取り付けられ、他方の端部は袖ぐりに取り付けられ、前記襟ぐりと前記袖ぐりに交差する一対の側縁部は前記外衣肩部に取り付けられず遊離して前記挿通路の挿通口となり、前記肩当て布は、着用者の肩において首から左右の腕の付け根を結ぶラインに対して所定角度で交差し、前記襟ぐり側の端部は前記ラインよりも前側に移動した位置に取り付けられ、前記袖ぐり側の端部は前記ラインよりも後側に移動した位置に取り付けられている請求項１又は２記載の上衣。
【発明の詳細な説明】
【技術分野】
【０００１】
この発明は、女性の上半身に着用し外衣と、バストを覆うカップ部を有する内衣とが一体に設けられた上衣に関する。
【背景技術】
【０００２】
従来、女性用の水着やフィットネスウエアには、バストを覆うカップ部材を有する内衣が、外衣と一体に設けられたものがある。例えば、引用文献１に開示されている女性用衣類は、外衣の内面の一部に内衣が縫着され、縫着された内衣は、一対のカップ部を有するフロント部と、フロント部に対向して背中側に設けられた背布部が互いに接合されて形成されている。外衣と内衣は、互いの袖ぐり部において部分的に縫着され、残りの袖ぐり部は装着されずに互いに遊離されている。このため、外衣と内衣とで伸縮性の異なる素材を使用する場合でも、外衣に、内衣のひっぱり等によるシワやツレ等の外観の歪みが生じないものである。
【０００３】
また、特許文献２に開示されているカップ付きアウター兼インナーは、外衣と内衣が、肩部付近で互いに縫着され、他の箇所は縫着されず遊離している。このため、腕を上方向や前方向に動かして外衣がずれても、内衣は、その動きとは離れて身体にフィットし、シワやツレ等の外観の歪みが生じないものである。そして、体形やバスト形状の変化に対応してカップ部を無理なくフィットさせることができ、カップ部の浮きやズレを軽減することができる。
【０００４】
また、特許文献３に開示されているカップ付き衣料は、外衣の内側に、身体前側にはカップ部材が取り付けられた裏地前身頃が設けられ、身体後側にはＸ形状のパワーネット地の後補正布が設けられている。後補正布により、着用者の肩甲骨が引き寄せられ、猫背が改善され姿勢が良くなる効果がある。また裏地前身頃と後補正布は、脇や下端部が外衣に縫着されておらず、外観は変わらずに補正効果を与えることができる。
【先行技術文献】
【特許文献】
【０００５】
【特許文献１】特開２０１４−１２５６９５号公報
【特許文献２】特開２０１４−１２５７１６号公報
【特許文献３】特開２０１５−７８４６０号公報
【発明の概要】
【発明が解決しようとする課題】
【０００６】
上記背景技術の場合、内衣が外衣の肩部分に縫着されているため、運動の際に身体を屈曲させたり捻じったりして、外衣が正立状態で着用していた位置から動くと、内衣が引っ張られ、着用感が良くないものである。また、内衣が引っ張られることで、カップ部とバストのフィット性が低下することがある。
【０００７】
この発明は、上記背景技術の問題点に鑑みてなされたものであり、楽に運動することができ、着用感が良好で、体形を補正することも可能な上衣を提供することを目的とする。
【課題を解決するための手段】
【０００８】
本発明は、袖ぐりと襟ぐりを有し上半身に着用する外衣と、前記外衣の内側に取り付けられ袖ぐりと襟ぐりを有する内衣が設けられ、前記外衣の、着用者の肩に位置する外衣肩部の内側面には、前身頃と後身頃側に開口した挿通路を形成する肩当て布が取り付けられ、前記挿通路に、前記内衣の着用者の肩に位置する内衣肩部が挿通され、前記外衣に対して移動可能に連結されている上衣である。
【０００９】
前記内衣の内衣肩部には、前記肩当て布に挿通される部分に孔部が形成され、前記孔部の内側の位置で、前記外衣の前記外衣肩部と前記肩当て布を連結するカン止めが形成され、前記内衣は前記カン止めが、前記孔部中に位置する範囲内に移動が規制されている。
【００１０】
前記内衣には、バストを覆う形状に成形されたカップ部が設けられている。
【００１１】
前記内衣には、背中に当接し姿勢矯正を行う矯正パーツが設けられている。前記矯正パーツは、互いに対称形状の２個の矯正パーツが、左右に並べられ一部を重ねて組み合わせて形成されている。前記矯正パーツは、一方向に長い帯体であり、一端部は一方の脇部に連続し、反対側の端部は身体の中心を挟んで反対側に位置する肩部に連続し、一対の矯正パーツは、着用した時に垂直軸を中心とする線対称形状であり、帯体が身体の後中心で交差してＸ字状となる。
【００１２】
前記肩当て布は一方向に長い帯体であり、長手方向の一方の端部は襟ぐりに取り付けられ、他方の端部は袖ぐりに取り付けられ、前記襟ぐりと前記袖ぐりに交差する一対の側縁部は前記外衣肩部に取り付けられず遊離して前記挿通路の挿通口となる。
【００１３】
前記肩当て布は、着用者の肩において首から左右の腕の付け根を結ぶラインに対して所定角度で交差し、前記襟ぐり側の端部は前記ラインよりも前側に移動した位置に取り付けられ、前記袖ぐり側の端部は前記ラインよりも後側に移動した位置に取り付けられている。前記肩当て布の、長手方向に交差する幅は、約５ｃｍ程度が好ましい。
【発明の効果】
【００１４】
本発明の上衣は、楽に運動することができ、着用感が良好で、体形を補正し姿勢を綺麗にすることができる。さらに、運動の際に外衣と内衣が別々に動くことができ、互いに干渉することなく、円滑に運動することができる。外衣は身体の動きに追随して大きく動き、内衣は体形の補正等に適した位置を保ち、効果的に姿勢を良くすることができる。カップ部が外衣に引っ張られることもなく、バストとの間に隙間が生じることが無くフィットすることができる。内衣の内衣肩部は、外衣の肩当て布に、所定の範囲で摺動可能に係止され、襟ぐりや袖ぐりからはみ出ることが無い。
【図面の簡単な説明】
【００１５】
【図１】この発明の一実施形態の上衣の裏面を示す正面図（ａ）と背面図（ｂ）である。
【図２】この実施形態の上衣の肩部の裏面を示す平面図である。
【図３】この実施形態の上衣の表面を示す正面図（ａ）と背面図（ｂ）である。
【図４】この実施形態の上衣の変形例の前身頃の裏面を示す正面図（ａ）と後身頃の裏面を示す背面図（ｂ）である。
【発明を実施するための形態】
【００１６】
以下、この発明の実施形態について図面に基づいて説明する。図１〜図３はこの発明の一実施形態を示すもので、この実施形態の上衣１０は、女性用の水着であり、腰から肩までの上半身を覆うもので、襟ぐり１０ａと袖ぐり１０ｂが広く開けられたタンクトップ形である。
【００１７】
上衣１０の表面は、図３の正面図（ａ）と背面図（ｂ）に示すように、着用者の上半身を覆う外衣１２で形成されている。外衣１２は、身体の前面を覆う前身頃１４と、身体の後面を覆う後身頃１６が設けられ、前身頃１４と後身頃１６には、襟ぐり１０ａと袖ぐり１０ｂが形成され、外衣脇部１８と、外衣肩部２０で、互いに縫い合わされている。前身頃１４は、身体の前中心線で切断されて左右に分割され、分割された側縁部には開閉用のスライドファスナ２２が設けられている。なお、前身頃１４と後身頃１６は伸縮性を有する編み地等の生地で作られている。前身頃１４と後身頃１６は、複数個のパーツを縫い合わされて形成されてもよい。各パーツの形状は自由にデザイン可能なものであり、各パーツの生地は、色や柄、素材等が、パーツ毎に互いに異なるものでもよい。
【００１８】
上衣１０の裏面を示す図１の正面図（ａ）と背面図（ｂ）の通り、外衣１２の外衣肩部２０の裏面には、後述する内衣２４の、後述する内衣肩部３６を摺動可能に保持する肩当て布２６が設けられている。肩当て布２６は、図２に示すように、所定幅の帯状体であり、長手方向の一方の端部は襟ぐり１０ａに縫合され、他方の端部は袖ぐり１０ｂに縫合されている。それ以外の、襟ぐり１０ａと袖ぐり１０ｂに交差する肩当て布２６の側縁部２６ａは、縫合されておらず、外衣肩部２０との間に、前身頃１４と後身頃１６側に挿通口が開口した挿通路２５が形成される。肩当て布２６の端部は、襟ぐり１０ａと袖ぐり１０ｂの、ヘムに縫い重ねられてもよく、ヘムにより適度な厚みと伸び感を有し、ねじれにくく、また折れ曲がりにくくなる。
【００１９】
肩当て布２６の長手方向に交差する幅は、約５ｃｍ程度が好ましい。幅が２〜３ｃｍ程度の細いものは安定せずねじれが起きやすく、幅が５ｃｍより太いものは、肩の広い範囲に負担がかかり着用感が良くない。このことから、一般的な体型の成人女性の場合、約５ｃｍの幅が良い。
【００２０】
肩当て布２６は、外衣肩部２０の、図示するように、着用者の首から左右の腕の付け根を結ぶラインＡに対して長手方向が交差して取り付けられ、襟ぐり１０ａ側の端部はラインＡよりも前側に移動した位置に取り付けられ、袖ぐり１０ｂ側の端部はラインＡよりも後側に移動した位置に取り付けられている。ここではラインＡは、前身頃１４と後身頃１６の縫合線に一致しているため、襟ぐり１０ａ側の端部は前身頃１４に取り付けられ、袖ぐり１０ｂ側の端部は後身頃１６に取り付けられている。これにより肩当て布２６の、襟ぐり１０ａと袖ぐり１０ｂに交差する側縁部２６ａは、外衣肩部２０のラインＡに対して斜めに位置する。
【００２１】
肩当て布２６の大きさは、前身頃１４側よりも後身頃１６側にかかる分量を多くしてもよい。肩当て布２６は、外衣１２と同じ伸縮性を有する生地で作られてもよく、後述する内衣２４と同じパワーネット等でもよい。
【００２２】
肩当て布２６の、長手方向の中心でなおかつ幅方向の中心に位置する１か所には、カン止め２８がステッチで設けられ、肩当て布２６と外衣肩部２０が止められている。カン止め２８は、前身頃１４と後身頃１６の境目に設けられ、外観から目立たない。カン止め２８は後述する内衣２４を肩当て布２６に挿通した後に設けるものである。
【００２３】
上衣１０の裏面には、外衣１２の裏面に重ねられて内衣２４が設けられている。内衣２４は、アンダーバスト付近から肩までを覆うもので、前身頃１４の裏面に取り付けられた内衣前部分３０と、後身頃１６の裏面に取り付けられた内衣後部分３２が設けられている。内衣前部分３０と内衣後部分３２は、内衣脇部３４と内衣肩部３６で縫い合わされている。内衣２４は、パワーネット等の緊締力の強い生地で作られている。
【００２４】
内衣前部分３０は、襟ぐりと袖ぐりが広く開けられ、上衣１０の襟ぐり１０ａと袖ぐり１０ｂから外側に出ない形状である。内衣前部分３０のバストに当接する部分には、バストを覆う形状に成形されたカップ部３８が一対設けられている。内衣２４の生地は、カップ部３８に対向する部分が切り取られてカップ部３８が縫い合わせられている。内衣前部分３０は身体の前中心線で切断されて左右に分割され、分割された側縁部は、前身頃１４のスライドファスナ２２の側縁部に縫合され、前身頃１４とともにスライドファスナ２２によって開閉する。内衣前部分３０の内衣肩部３６側の上端部３０ａには、上端部３０ａの中央部分がＵ字形に切り欠かれ、これは、内衣後部分３２を形成する後述する矯正パーツ４２の上端部４２ｃと縫合された時に形成される後述の孔部４０の約半分を形成する形状である。なお、内衣前部分３０は複数個のパーツを縫い合わされて形成され、各パーツの形状は自由にデザインするものである。
【００２５】
内衣後部分３２は、互いに対称形状の２枚の矯正パーツ４２が、左右に並べられ一部を重ねて組み合わせて形成されている。矯正パーツ４２の形状について説明する。矯正パーツ４２の下端部４２ａは、内衣脇部３４の下端部に連続し着用時に水平に位置する直線であり、下端部４２ａの長さは、背中の中心を少し通過する位置に達するものである。下端部４２ａの、内衣脇部３４と反対側の端部に連続する側縁部４２ｂは、下端部４２ａが連続する内衣脇部３４とは身体の中心を挟んで反対側に位置する内衣肩部３６の腕側の端部に連続する緩やかな曲線であり、曲線は矯正パーツ４２の内側に凹となる。側縁部４２ｂの上方の端部に連続する上端部４２ｃは、内衣肩部３６で、内衣前部分３０の上端部３０ａに縫合される直線であり、上端部４２ｃの中央部分がＵ字形に切り欠かれ、これは内衣前部分３０の上端部３０ａと縫合した時に形成される後述する孔部４０の約半分を形成する形状である。上端部４２ｃの首側の端部に連続する側縁部４２ｄは、下端部４２ａが連続する内衣脇部３４の上端部に連続する緩やかな曲線であり、曲線は矯正パーツ４２の外側に凹となる。
【００２６】
一対の矯正パーツ４２は、着用した時に垂直となる仮想軸を中心とする線対称形状であり、内衣脇部３４と反対側の一部分が互いに重なり、上端部４２ｃに近い部分は通過して互いに離れ、反対側の内衣肩部３６に各々連続する。これによりＸ字状となる。上端部４２ｃは、内衣肩部３６で、内衣前部分３０の上端部３０ａに縫合され、内衣肩部３６の中心に孔部４０が形成される。孔部４０は、上端部３０ａ、４２ｃに交差する方向が長い楕円形となる。下端部４２ａ同士は、互いに一直線上に位置し、縫い合わせられている。下端部４２ａには、１本のゴムテープ４４が縫い付けられ、一対の下端部４２ａを連続させている。ゴムテープ４４の両端部は、内衣前部分３０の下端部に沿ってスライドファスナ２２に達し、着用者のアンダーバストを一周し弾性的に密着する。
【００２７】
内衣２４の内衣肩部３６は、図２に示すように、肩当て布２６と、外衣１２の外衣肩部２０との間の挿通路２５に挿通されている。そして、孔部４０の中で、カン止め２８が肩当て布２６と外衣肩部２０を連結し、内衣肩部３６はカン止め２８が孔部４０の中に位置する範囲内に移動を規制されている。なお、外衣１２、肩当て布２６、内衣２４、カン止め２８の縫合する順番は、自由であり、例えば、外衣１２と内衣２４を作って外衣肩部２０と内衣肩部３６を重ねてから肩当て布２６を外衣肩部２０に縫合し、最後にカン止め２８を止めてもよい。
【００２８】
内衣２４は、内衣前部分３０の前中心と、前中心に連続する襟ぐりの一部が、前身頃１４の前中心と襟ぐり１０ａに縫合されている。襟ぐり１０ａの内衣肩部３６に近い部分と、その他の周縁部は外衣１２に縫合されず、自由に移動する。内衣２４の内衣肩部３６は、肩当て布２６の挿通路２５に相通されて外衣１２にとりつけられ、図２に示す矢印の方向へ、規制された範囲内で移動する。
【００２９】
この実施形態の上衣１０の使用方法は、水中の軽運動の際に、着用するものである。先ずスライドファスナ２２を開き、前身頃１４を左右に開いた状態で、袖ぐり１０ｂに腕を通して背中にはおり、スライドファスナ２２を締める。この時、内衣２４のカップ部３８がバストを覆うように対向させる。背中には、一対の矯正パーツ４２がＸ字状に当接し、一対の肩甲骨を寄せて姿勢を垂直にする。
【００３０】
この実施形態の上衣１０によれば、簡単な構造と簡単な製造方法で、楽に運動することができ、着用感が良好で、体形を補正し姿勢を綺麗にすることができる。運動の際に外衣１２と内衣２４が別々に動くことができ、互いに干渉することなく、円滑に運動することができる。外衣１２は身体の動きに追随して大きく動き、内衣２４は体形の補正に適した位置を保ち、効果的に姿勢を良くすることができる。カップ部３８が外衣１２に引っ張られることもなく、バストとの間に隙間が生じることがなくフィットし、形を整え、また揺れを防止することができる。内衣２４の内衣肩部３６は、外衣１２の肩当て布２６に、所定の範囲で摺動可能に係止され、襟ぐりや袖ぐりからはみ出ることが無い。
【００３１】
内衣後部分３２の矯正パーツ４２は、内衣肩部３６と内衣脇部３４で、内衣前部分３０に連結され、体形に合わせて密着しサポート力を得ることができる。なおかつ、内衣肩部３６と内衣脇部３４は外衣１２に縫合されておらず、外衣１２に引っ張られることがない。矯正パーツ４２による背中のクロス構造で肩甲骨を引き寄せ、脊柱両脇にある脊柱起立筋を押さえ、姿勢を意識させることができる。内衣肩部３６が外衣肩部２０に対して移動可能なことから、着用者の体形に合わせてフィットさせることが可能であり、背中のパワー感をアップさせることができる。
【００３２】
また、肩当て布２６の、襟ぐり１０ａと袖ぐり１０ｂに交差する側縁部２６ａは、外衣肩部２０のラインＡに対して斜めに位置するため、外衣１２の外衣肩部２０が身体に対して移動するときの肌当たりが柔らかくなり、また縫い代の肌当たりも解消する。内衣２４の内衣肩部３６は、孔部４０の周囲を紐状に細くして体に与える刺激を小さくし、孔部４０の中にカン止め２８が位置することにより、着用した時にヨレやころつき感を解消し、ねじれを防ぐことができる。肩当て布２６は、襟ぐり１０ａ側の端部はラインＡよりも前身頃１４に移動した位置に縫合され、袖ぐり１０ｂ側の端部はラインＡよりも後身頃１６に移動した位置に縫合されているため、外衣肩部２０のラインＡの縫い代と重ならず、縫い代のコロツキがない。内衣肩部３６は、カン止め２８で移動範囲を規制されているため、異常な位置に内衣肩部３６が移動することを防ぎ、襟ぐり１０ａと袖ぐり１０ｂから内衣肩部３６がはみ出すことがない。
【００３３】
なお、肩当て布２６の大きさは、前身頃１４側よりも後身頃１６側にかかる分量を多くしてもよい。外衣肩部２０は、着用時に内衣前部分３０と内衣後部分３２での伸び分量が異なる。バストの大きさ等、人により差は生じるが、内衣前部分３０で０〜０．５ｃｍ、内衣後部分３２で４〜５ｃｍである。そのため、着用時にその伸びを考慮し肩当て布２６より孔部４０のはみ出しを少なくすることを目的に肩当て布２６は前身頃１４側よりも後身頃１６側にかかる分量を多くしている。肩当て布２６から孔部４０がはみ出すと、肌あたりが悪くなり、それを防ぐことができる。
【００３４】
また、この実施形態の上衣１０は、孔部４０とカン止め２８が無くてもよく、また、内衣後部分３２が一対の矯正パーツ４２ではなく、一枚の生地で作られていてもよい。また、肩当て布２６は外衣肩部２０に交差しておらず、略平行に取り付けてもよい。例えば、図４（ａ），（ｂ）に示す上衣１１のように、外衣１２の内側に内衣２４が設けられ、外衣１２の外衣肩部２０の裏面には肩当て布２７が設けられている。肩当て布２７は、一方の端部は襟ぐりに取り付けられ、他方の端部は袖ぐりに取り付けられている。肩当て布２７の、襟ぐり１０ａと袖ぐり１０ｂに交差する側縁部２７ａは、外衣肩部２０のラインＡに対して略平行である。内衣２４の内衣肩部３６は、細い紐状であり、外衣１２の外衣肩部２０と肩当て布２７の挿通路に挿通されて摺動可能である。
【００３５】
この上衣１１によっても、上衣１０と同様の効果を有し、運動の際に外衣１２と内衣２４が別々に動くことができ、互いに干渉することなく、円滑に運動することができ、外衣１２は身体の動きに追随して大きく動き、内衣２４はカップ部３８の位置が変わらず体形をきれいにすることができる。内衣後部分３２は外衣１２に縫合されておらず、分離されているため、自由にデザインすることができる。
【００３６】
また、この実施形態の上衣は、上記実施の形態に限定されるものではなく、袖のあるものや裾が短いもの等、自由に変更可能である。また上衣は水着以外でもよく、フィットネスウエアや外出用衣服等、何でもよい。使用する生地は自由に選択可能であり、外衣は柔軟性の無い生地でもよい。外衣や内衣前部分は複数個のパーツを縫い合わされて形成されているが、各パーツの形状は自由にデザインするものであり、また一枚の生地で作られてもよい。内衣後部分の形状も自由に変更可能であり、矯正パーツの形状は自由である。肩当て布の太さや、ラインＡに対する角度は適宜変更可能である。カン止め以外の方法で内衣の移動を規制してもよい。
【符号の説明】
【００３７】
１０  上衣
１０ａ  襟ぐり
１０ｂ  袖ぐり
１２  外衣
１４  前身頃
１６  後身頃
２０  外衣肩部
２４  内衣
２５  挿通路
２６  肩当て布
２６ａ  側縁部
２８  カン止め
３６  内衣肩部
３８  カップ部
４０  孔部
４２  矯正パーツ
【図１】
2019119961.tif 000003
【図２】
2019119961.tif 000004
【図３】
2019119961.tif 000005
【図４】
2019119961.tif 000006